(57)【要約】【課題】制御回路等の異常過熱や圧縮機の過負荷運転を防止しつつ，できるだけ圧縮機のモータ回転数の不要な制限を阻止して冷房性能の低下を防止することのできる空気調和機を提供すること。【解決手段】冷房運転時に，制御部１０が，電流検出回路３０によって検出された圧縮機１の電流値が予め設定された上限電流値以下，且つ圧縮機１のモータ回転数が予め設定された上限回転数以下となるように圧縮機１のモータ回転数を制御するように構成される。また，外気温度センサ６や圧縮機温度センサ７による検出温度に基づいて，上限電流値や上限回転数を設定するように構成される。【選択図】図２
2008202905.tif 000002
【特許請求の範囲】
【請求項１】
冷媒を圧縮する圧縮機と，前記圧縮機に印加される電流値を検出する電流検出手段と，前記圧縮機のモータ回転数を制御するモータ回転数制御手段と，を備えてなる空気調和機であって，
前記モータ回転数制御手段が，冷房運転時において，前記電流検出手段によって検出される電流値が予め設定された上限電流値以下，且つ前記圧縮機のモータ回転数が予め設定された上限回転数以下となるように前記圧縮機のモータ回転数を制御してなることを特徴とする空気調和機。
【請求項２】
前記モータ回転数制御手段が，インバータ制御によって前記圧縮機のモータ回転数を制御するものである請求項１に記載の空気調和機。
【請求項３】
冷房運転時における外気温度を検出する外気温度検出手段及び／又は前記圧縮機の温度を検出する圧縮機温度検出手段と，
前記外気温度検出手段による検出温度及び／又は前記圧縮機温度検出手段による検出温度に基づいて前記上限回転数を設定する上限回転数設定手段と，
を更に備えてなる請求項１又は２のいずれかに記載の空気調和機。
【請求項４】
前記外気温度検出手段による検出温度及び／又は前記圧縮機温度検出手段による検出温度と，前記上限回転数とが対応付けられた対応情報が予め記憶された対応情報記憶手段を更に備えてなり，
前記上限回転数設定手段が，前記対応情報記憶手段に記憶された対応情報に基づいて前記上限回転数を設定するものである請求項３に記載の空気調和機。
【請求項５】
前記外気温度検出手段による検出温度及び／又は前記圧縮機温度検出手段による検出温度に基づいて前記上限電流値を設定する上限電流値設定手段を更に備えてなる請求項３又は４のいずれかに記載の空気調和機。
【発明の詳細な説明】
【技術分野】
【０００１】
本発明は，圧縮機，室内空気熱交換器，膨張弁，室外空気熱交換器が接続された冷凍サイクルを有する空気調和機に関し，特に，冷房運転時における圧縮機の過負荷運転を防止するための制御技術に関するものである。
【背景技術】
【０００２】
一般に，圧縮機，室内空気熱交換器，膨張弁，室外空気熱交換器が接続された冷凍サイクルを有する空気調和機では，圧縮機のモータ回転数のインバータ制御を行うことによって冷暖房の強弱が調整される。このとき，空気調和機では，圧縮機に流れる電流が予め設定された上限電流値を超えないように圧縮機のモータ回転数のインバータ制御を行うことにより，制御回路等の異常過熱や圧縮機の過負荷運転などの防止が図られている。
一方，特許文献１には，冷房運転時において，室外空気熱交換器が設置される室外空気の温度（以下「外気温度」という）が，予め設定された上限温度を超えた場合に，上限電流値の設定値を下げることが開示されている。このような構成によれば，外気温度が上限温度を超えて高くなりすぎた場合でも，制御回路等の異常過熱や圧縮機の過負荷運転などを防止することができ，また，外気温度が低い場合には，モータ回転数が不要に抑制されることを防止することができる。
さらに，特許文献１には，外気温度センサが故障した場合など，その外気温度センサによる検出温度が予め設定された範囲外である場合には，電流値を指標とするモータ回転数の制御を行わなずに，モータ回転数の上限回転数を予め設定された回転数に設定することにより，外気温度センサの故障などにおける制御装置の安全性の確保を図る旨の記載がある。
【特許文献１】特開平６−１９３９４５号公報
【発明の開示】
【発明が解決しようとする課題】
【０００３】
しかしながら，前述のように圧縮機に印加される電流が上限電流値以下となるようにモータ回転数のインバータ制御を行う場合，従来では，商用交流電源などから空気調和機に供給される交流電圧の電圧変動によるインバータ制御への影響が考慮されていないため，圧縮機が過負荷運転に陥るおそれがある。以下，この点について具体的に説明する。
ここに，下記の表１は，圧縮機に印加される電流Ｉが１４．５（Ａ）のときのモータ回転数Ｎを示している。なお，電圧Ｅは，商用交流電源から供給される電圧値であるが，その電圧Ｅは地域や環境によって変化することが知られている。下記表１の（ａ）〜（ｃ）は，電圧Ｅが２００（Ｖ），２３０（Ｖ），２６０（Ｖ）と変化した場合を示している。また，電圧Ｅの変動範囲は２００〜２６０（Ｖ）であるとする。
【表１】
2008202905.tif 000003
【０００４】
上記表１の（ａ）〜（ｃ）に示すように，電流Ｉが同じ１４．５（Ａ）であっても，電圧Ｅが変動すれば消費電力Ｐが変動するため，モータ回転数Ｎが異なる。具体的には，電流Ｉが同じであっても，電圧Ｅが大きいほどモータ回転数Ｎが大きくなる。
したがって，電圧Ｅの変動範囲の最小値である２００（Ｖ）のとき（表１（ａ））を基準にして上限電流値を設定すると，電圧Ｅが変動して２００（Ｖ）を超えた場合（表１の（ｂ）や（ｃ）など）に，モータ回転数Ｎが高くなりすぎて圧縮機が過負荷運転に陥るおそれがある。
一方，電圧Ｅの変動範囲の最大値である２６０（Ｖ）のとき（上記表１の（ｃ））を基準にして上限電流値を設定すると，電圧Ｅが変動して２６０（Ｖ）よりも低くなっている場合（表１の（ａ）や（ｂ）など）に，モータ回転数Ｎが不要に抑制されて冷房性能を不要に低下させてしまうことになる。
【０００５】
また，特許文献１に示されているように，電流Ｉを指標とするモータ回転数Ｎの制御を行わなずに，モータ回転数Ｎの上限回転数を予め設定された回転数に設定することも考えられるが，この場合には，電流Ｉが高くなりすぎて制御回路等に異常過熱を来たすおそれがある。以下，この点について具体的に説明する。
ここに，下記の表２は，モータ回転数Ｎが４５５０（ｒｐｍ）のときの電流Ｉを示している。
【表２】
2008202905.tif 000004
【０００６】
上記表２の（ａ）〜（ｃ）に示すように，モータ回転数Ｎが同じ４５５０（ｒｐｍ）であっても，電圧Ｅが変動すれば，モータ回転数Ｎを４５５０（ｒｐｍ）にするために必要な電流Ｉが異なる。具体的には，モータ回転数Ｎが同じであっても，電圧Ｅが小さいほど電流Ｉが大きくなる。
したがって，電圧Ｅの変動範囲の最大値である２６０（Ｖ）のとき（表１（ｃ））を基準にしてモータ回転数Ｎの上限回転数を設定すると，電圧Ｅが変動して２６０（Ｖ）よりも低くなっている場合（表１の（ａ）や（ｂ）など）に，電流Ｉが高くなりすぎて制御回路等に異常過熱を来たすおそれがある。
一方，電圧Ｅの変動範囲の最小値である２００（Ｖ）のとき（表１の（ａ））を基準にして上限回転数を設定すると，電圧Ｅが変動して２００（Ｖ）を超えた場合（表１の（ｂ）や（ｃ）など）に，モータ回転数Ｎが不要に抑制されることになるため，冷房性能を不要に低下させてしまうことになる。
【０００７】
以上説明したように，上限電流値又は上限回転数のいずれか一方によってモータ回転数Ｎを制限する従来手法では，電圧Ｅが変動した場合にも圧縮機の過負荷運転や制御回路等の異常過熱などを防止するためには，その上限電流値や上限回転数を，電圧Ｅの変動幅の最大値又は最小値を基準に設定する必要があるため，モータ回転数Ｎが不要に制限されて冷房性能が低下することがあるという問題が生じる。
従って，本発明は上記事情に鑑みてなされたものであり，その目的とするところは，制御回路等の異常過熱や圧縮機の過負荷運転を防止しつつ，できるだけ圧縮機のモータ回転数の不要な制限を阻止して冷房性能の低下を防止することのできる空気調和機を提供することにある。
【課題を解決するための手段】
【０００８】
上記目的を達成するために本発明は，冷媒を圧縮する圧縮機と，前記圧縮機に印加される電流値を検出する電流検出手段と，前記圧縮機のモータ回転数を制御するモータ回転数制御手段と，を備えてなる空気調和機に適用されるものであって，前記モータ回転数制御手段が，冷房運転時において，前記電流検出手段によって検出される電流値が予め設定された上限電流値以下，且つ前記圧縮機のモータ回転数が予め設定された上限回転数以下となるように前記圧縮機のモータ回転数を制御してなることを特徴とする空気調和機として構成される。具体的に，前記モータ回転数制御手段は，インバータ制御によって前記圧縮機のモータ回転数を制御するものである。
このように構成された空気調和機では，商用交流電源などからの供給電圧が高い場合には，上限回転数によってモータ回転数を制限して圧縮機の過負荷運転を防止し，供給電圧が低い場合には，上限電流値によってモータ回転数を制限して制御回路等の異常過熱などを防止することができるため，上限回転数や上限電流値を，圧縮機の過負荷運転及び制御回路等の異常過熱を防止することのできる範囲内で，できるだけ高い値に設定することができ，冷房性能の不要な低下を防止することができる。
【０００９】
ところで，室外空気熱交換器における室外空気と冷媒との間の熱交換率は外気温度によって変動するため，その外気温度によって制御回路等の異常過熱や前記圧縮機の過負荷運転が生じるときのモータ回転数は異なる。具体的には，外気温度が高くなる程，熱交換効率が低下して圧縮機の負荷が増大するため，制御回路等の異常過熱や前記圧縮機の過負荷運転が生じるときのモータ回転数は低くなる。そこで，冷房運転時における外気温度を検出し，その検出温度に基づいて前記上限回転数を設定することが望ましい。これにより，実際の外気温度において，圧縮機の過負荷運転及び制御回路等の異常過熱を防止することのできる範囲内で，上限回転数や上限電流値をできるだけ高い値に設定することができ，冷房性能の不要な低下を防止することができる。
また，前記圧縮機が過負荷運転に陥ると該圧縮機の温度が上昇することになるため，前記圧縮機の温度を検出し，その検出温度或いはその検出温度及び外気温度に基づいて前記上限回転数を設定することも考えられる。これにより，当該空気調和機の安全性を高めることができる。
【００１０】
例えば，本発明は，外気温度や前記圧縮機の温度と前記上限回転数とが対応付けられた対応情報が予め記憶された対応情報記憶手段を設けておき，前記上限回転数設定手段が，前記対応情報記憶手段に記憶された対応情報に基づいて前記上限回転数を設定するように構成することで具現可能である。
また，外気温度や前記圧縮機の温度に基づいて前記上限電流値を設定する上限電流値設定手段を更に備えてなる構成が望ましい。これにより，外気温度や前記圧縮機の温度が上昇して前記圧縮機の負荷が急激に増加した場合などに，できるだけ早く前記モータ回転数を低下させる等の制御を行うことが可能となる。
【発明の効果】
【００１１】
本発明によれば，商用交流電源などからの供給電圧が高い場合には，上限回転数によってモータ回転数を制限して圧縮機の過負荷運転を防止し，供給電圧が低い場合には，上限電流値によってモータ回転数を制限して制御回路等の異常過熱などを防止することができるため，上限回転数や上限電流値を，圧縮機の過負荷運転及び制御回路等の異常過熱を防止することのできる範囲内で，できるだけ高い値に設定することができ，冷房性能の不要な低下を防止することができる。特に，冷房運転時における外気温度を検出し，その検出温度に基づいて前記上限回転数を設定することによって，実際の外気温度において，圧縮機の過負荷運転及び制御回路等の異常過熱を防止することのできる範囲内で，上限回転数をできるだけ高い値まで許容させることができ，冷房性能の不要な低下を防止することができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気調和機Ｘの概略構成を示すブロック図，図２は本発明の実施の形態に係る空気調和機Ｘの制御回路の概略構成を示すブロック図，図３は上限回転数設定処理で用いられる対応情報Ｄ１を説明するための図，図４は本発明の実施の形態に係る空気調和機Ｘにおいて制御部１０によって実行される上限回転数設定処理の手順の一例を説明するためのフローチャートである。
まず，図１及び図２を用いて，本発明の実施の形態に係る空気調和機Ｘの概略構成について説明する。
図１に示すように，空気調和機Ｘは，冷媒を圧縮する圧縮機１，冷媒の流通方向を切り替える四方弁２，室外空気と冷媒との間で熱交換を行う室外空気熱交換器３，冷媒を膨張させる膨張弁４，室内空気及び冷媒の間で熱交換を行う室内空気熱交換器５，室外空気熱交換器３の近傍に配置されて外気温度を検出する外気温度センサ６（外気温度検出手段の一例），及び圧縮機１の近傍に設置されて該圧縮機１の温度を検出する圧縮機温度センサ７（圧縮機温度検出手段の一例）などを有している。外気温度センサ６や圧縮機温度センサ７による検出温度は，後述の制御部１０（図２参照）に入力される。
このように構成された空気調和機Ｘでは，圧縮機１から吐出される高温の冷媒が，図示する実線矢印方向に流通されて室内空気熱交換器５に流入されることによって暖房運転が実現され，図示する破線矢印方向に室外空気熱交換器３，膨張弁４を経て流通されて室内空気熱交換器５に流入することによって冷房運転が実現される。なお，空気調和機Ｘは，設置場所において商用交流電源などの電源（不図示）に接続され，該電源からの供給電圧によって稼働する。
【００１３】
図２に示すように，空気調和機Ｘは，ＣＰＵやＲＡＭ，ＲＯＭ等を有してなり当該空気調和機Ｘを統括的に制御する制御部１０と，該制御部１０からの指示に従って圧縮機１のモータ回転数をインバータ制御（周波数制御）によって制御するインバータ制御回路２０と，圧縮機１に印加される電流の値を検出して制御部１０に入力する電流検出回路３０（電流検出手段の一例）と，を備えている。なお，電流検出回路３０は，従来周知の回路を用いればよく，ここでは説明を省略する。
制御部１０は，暖房運転時や冷房運転時に，室内温度や設定温度などに基づいて，インバータ制御回路２０に対して圧縮機１のモータ回転数の制御指示を行うことにより，冷暖房の強弱を調節する。ここに，圧縮機１のモータ回転数を制御するための処理を実行するときの制御部１０及びインバータ制御部２０がモータ回転数制御手段に相当する。
ここで，従来装置（例えば，特許文献１参照）では，冷房運転時における制御部１０の異常過熱や圧縮機１の過負荷運転を防止するべく，該圧縮機１に流れる電流が予め設定された上限電流値以下となるように，圧縮機１のモータ回転数が制御されていた。
一方，本発明の実施の形態に係る空気調和機Ｘでは，冷房運転時，制御部１０によって，圧縮機１に印加される電流が予め設定された上限電流値以下，且つ圧縮機１のモータ回転数が予め設定された上限回転数以下となるように，圧縮機１のモータ回転数が制御される。以下，具体的に説明する。
【００１４】
以下では，不図示の商用交流電源などの電源から空気調和機Ｘに供給される電圧をＥ，圧縮機１に印加される電流をＩ，該電流Ｉの上限電流値をＩ0，圧縮機１のモータ回転数をＮ，該モータ回転数Ｎの上限回転数をＮ0とする。
ここでは，室内温度が３２（℃），室外温度４３（℃）の条件下において，上限電流値Ｉ0が１６．４（Ａ），上限回転数Ｎ0が４５５０（ｒｐｍ）に予め設定されている場合を例に挙げて説明する。この上限電流値Ｉ0及び上限回転数Ｎ0は，制御部１０の異常過熱や圧縮機１の過負荷運転の発生を防止し得る値として予め設定されたものである。
ここに，下記の表３の（ａ）〜（ｃ）は，本発明の実施の形態に係る空気調和機Ｘにおいて電圧Ｅが，２００（Ｖ），２３０（Ｖ），２６０（Ｖ）と変化した場合における電流Ｉ及びモータ回転数Ｎを示している。なお，電圧Ｅの変動範囲は２００〜２６０（Ｖ）であるとする。
【表３】
2008202905.tif 000005
【００１５】
（電圧Ｅが２００（Ｖ）である場合）
電圧Ｅが２００（Ｖ）である場合（表３（ａ））には，モータ回転数Ｎが４１１０（ｒｐｍ）に達すると，上記表３の（ａ）に示すように，電流検出回路３０によって検出される圧縮機１に流れる電流Ｉが，上限電流値Ｉ0として設定された１６．４（Ａ）に達する。
そのため，制御部１０は，電流Ｉが上限電流値Ｉ0である１６．４（Ａ）を超えないように，モータ回転数Ｎを４１１０（ｒｐｍ）で維持，或いはモータ回転数Ｎを減少させるように制御する。即ち，電圧Ｅが変動範囲内の最小値である２００（Ｖ）のときには，上限電流値Ｉ0によって，モータ回転数Ｎが制限されことにより，制御部１０などの異常過熱が防止される。なお，このときモータ回転数Ｎは４１１０（ｒｐｍ）であって，上限回転数Ｎ0以下であるため，圧縮機１の過負荷運転も防止されることは言うまでもない。
【００１６】
（電圧Ｅが２６０（Ｖ）である場合）
一方，電圧Ｅが２６０（Ｖ）である場合（表３（ｃ））には，電流検出回路３０によって検出される圧縮機１に流れる電流Ｉが，１４．５（Ａ）に達すると，上記表３の（ｃ）に示すように，モータ回転数Ｎが，上限回転数Ｎ0として設定された４５５０（ｒｐｍ）に達する。
そのため，制御部１０は，モータ回転数Ｎが上限回転数Ｎ0である４５５０（ｒｐｍ）を超えないように，モータ回転数Ｎを４５５０（ｒｐｍ）で維持，或いはモータ回転数Ｎを減少させるように制御する。即ち，電圧Ｅが変動範囲内の最大値である２６０（Ｖ）のときには，上限回転数Ｎ0によってモータ回転数Ｎが制限されることにより，圧縮機１の過負荷運転が防止される。なお，このとき電流Ｉは１４．５（Ａ）であって，上限電流値Ｉ0以下であるため，制御部１０などの異常過熱も防止されることは言うまでもない。
【００１７】
（電圧Ｅが２３０（Ｖ）である場合）
また，電圧Ｅが２３０（Ｖ）である場合（表３（ｂ））には，モータ回転数Ｎ及び電流Ｉが同時に上限回転数Ｎ0及び上限電流値Ｉ0に達する。この場合にも同様に，制御部１０は，モータ回転数Ｎが上限回転数Ｎ0である４５５０（ｒｐｍ）を超えず，且つ電流Ｉが上限電流値Ｉ0である１６．４（Ａ）を超えないように，モータ回転数Ｎを４５５０（ｒｐｍ）で維持，或いはモータ回転数Ｎを減少させるように制御する。したがって，空気調和機Ｘにおける制御部１０の異常過熱や圧縮機１の過負荷運転などは防止される。
【００１８】
以上，説明したように，空気調和機Ｘでは，冷房運転時，制御部１０によって，圧縮機１に印加される電流が上限電流値Ｉ0以下，且つ圧縮機１のモータ回転数が上限回転数Ｎ0以下となるように，圧縮機１のモータ回転数Ｎが制御される。
これにより，商用交流電源などの電源（不図示）から供給される電圧Ｅが高い場合には，上限回転数Ｎ0によってモータ回転数Ｎを制限して圧縮機１の過負荷運転を防止し，電圧Ｅが低い場合には，上限電流値Ｉ0によってモータ回転数Ｎを制限して制御部１０等の異常過熱などを防止することができるため，上限回転数Ｎ0や上限電流値Ｉ0を，圧縮機１の過負荷運転及び制御部１０等の異常過熱を防止することのできる範囲内で，できるだけ高い値に設定することができ，冷房性能の不要な低下を防止することができる。
【００１９】
ところで，前述したように，外気温度が高くなる程，室外空気熱交換器３の熱交換効率が低下して圧力の高い冷媒が圧縮機１に流入することになり，該圧縮機１の負荷は増大する。そのため，外気温度が高い場合には，外気温度が低い場合に比べて小さいモータ回転数で圧縮機１が過負荷運転に陥ることになる。
そこで，本発明の実施の形態に係る空気調和機Ｘでは，冷房運転時，制御部１０によって，後述する上限回転数設定処理（図４のフローチャート参照）が実行されることにより，外気温度の変化に伴って上限回転数が設定変更される。
【００２０】
ここで，図３を用いて，制御部１０によって実行される後述の上限設定処理（図４のフローチャート参照）において用いられる対応情報Ｄ１について説明する。
図３に示すように，対応情報Ｄ１は，外気温度Ｔと上限回転数Ｎ0とが対応付けられたものであって，予め制御部１０のＲＯＭなどの記憶手段（対応情報記憶手段に相当）に記憶されている。
具体的には，外気温度が３８（℃）以下である場合には上限回転数Ｎ0が６０００（ｒｐｍ），外気温度が５０（℃）以上である場合には上限回転数Ｎ0が２５２０（ｒｐｍ）となるような対応関係を示している。また，外気温度が３８〜５０（℃）の間である場合には，外気温度Ｔと上限回転数Ｎ0との関係が，下記の式（１）で表される。
【数１】
2008202905.tif 000006
なお，図３に示した対応情報Ｄ１は，単なる一例に過ぎず，例えば，外部温度Ｔと上限回転数Ｎ0とを対応付けるテーブルを対応情報として記憶していてもよいことは言うまでもない。
【００２１】
以下，図４のフローチャートに従って，空気調和機Ｘにおいて制御部１０によって実行される上限回転数設定処理の手順の一例を説明する。なお，図示するＳ１，Ｓ２，…は，処理手順（ステップ）番号を示している。
当該上限回転数設定処理は，空気調和機Ｘにおける冷房運転の実行中に制御部１０によって実行され，処理はステップＳ１から開始される。
まず，ステップＳ１では，制御部１０によって，内部のＲＯＭなどに記憶された対応情報Ｄ１（図３参照）が読み出される。
次に，ステップＳ２では，制御部１０によって，外気温度センサ６から入力される検出温度，即ち外気温度Ｔが読み出される。
そして，続くステップＳ３〜Ｓ７では，制御部１０によって，ステップＳ１，Ｓ２で読み出された対応情報Ｄ１と外気温度Ｔとに基づいて，上限回転数Ｎ0を設定するための処理が実行される。ここに，かかる設定処理を実行するときの制御部１０が上限回転数設定手段に相当する。
【００２２】
まず，ステップＳ３では，制御部１０によって，外気温度Ｔが３８（℃）以下であるか否かが判断される。ここで，外気温度Ｔが３８（℃）以下であると判断された場合には（Ｓ３のＹｅｓ側），処理はステップＳ４に移行し，制御部１０によって，外気温度Ｔと対応情報Ｄ１（図３参照）とに基づいて，上限回転数Ｎ0が６０００（ｒｐｍ）に設定される。
一方，外気温度Ｔが３８（℃）を超えていると判断された場合には（Ｓ３のＮｏ側），処理はステップＳ５に移行する。ステップＳ５では，制御部１０によって，外気温度Ｔが５０（℃）以上であるか否かが判断される。ここで，外気温度Ｔが５０（℃）以上であると判断された場合には（Ｓ５のＹｅｓ側），処理はステップＳ６に移行し，外気温度Ｔが５０（℃）未満であると判断された場合には（Ｓ５のＮｏ側），処理はステップＳ７に移行する。
ステップＳ６では，制御部１０によって，外気温度Ｔと対応情報Ｄ１（図３参照）とに基づいて，上限回転数Ｎ0が２５２０（ｒｐｍ）に設定される。
ステップＳ７では，制御部１０は，外気温度Ｔを対応情報Ｄ１で示された前記式（１）に代入して演算することによって得られた値を上限回転数Ｎ0として設定する。例えば，外気温度Ｔが４３（℃）である場合には，上限回転数Ｎ0が４５５０（ｒｐｍ）に設定される。
以上，説明したように，空気調和機Ｘでは，実際の外気温度Ｔにおいて，圧縮機１の過負荷運転及び制御部１０等の異常過熱を防止することのできる範囲内で，上限回転数Ｎ0や上限電流値をできるだけ高い値に設定することができ，冷房性能の不要な低下を防止することができる。
【実施例１】
【００２３】
前記実施の形態では，外気温度センサ６によって検出される外気温度Ｔに基づいて上限回転数Ｎ0を設定する場合を例に挙げて説明したが，圧縮機１が過負荷運転となる場合には圧縮機温度Ｔ１が高温となる。
そこで，外気温度Ｔに換えて，圧縮機温度センサ７によって検出される圧縮機温度Ｔ１に基づいて上限回転数Ｎ0を設定することが考えられる。
この場合にも，圧縮機１の過負荷運転を防止しつつ，できるだけ高い冷房性能を発揮させることができる。
具体的には，対応情報Ｄ１と同様に，圧縮機温度Ｔ１と上限回転数Ｎ0とを対応づけた対応情報を制御部１０のＲＯＭなどに記憶させておき，その対応情報と圧縮機温度Ｔ１とに基づいて上限回転数Ｎ0を設定すればよい。なお，かかる処理については，図４に示した上限回転数設定処理と同様であるため，ここでは説明を省略する。
また，外気温度Ｔ及び圧縮機温度Ｔ１の両方に基づいて上限回転数Ｎ0を設定してもよい。例えば，外気温度Ｔに基づいて上限回転数Ｎ0を設定する上限回転数設定処理（図４参照）を実行している最中に，制御部１０が，圧縮機温度Ｔ１が予め設定された温度以上に達していると判断した場合には，上限回転数設定処理で設定された上限回転数Ｎ0を更に下げて設定することにより，圧縮機１の異常過熱を防止することができる。
【実施例２】
【００２４】
前記実施の形態や前記実施例１では，外気温度Ｔに基づいて上限回転数Ｎ0だけを設定する場合について説明した。一方，モータ回転数Ｎが上限回転数Ｎ0以下であっても，温度の上昇によって圧縮機１の負荷が急激に上昇する可能性もある。この場合には，電流Ｉが上限電流Ｉ0を超えたときに，モータ回転数Ｎを下げるように制御すればよいが，負荷が急激に上昇した場合には，その上昇に追随することができず，制御部１０や圧縮機１に過電流が流れるおそれがある。
そこで，室外温度Ｔに基づいて上限回転数Ｎ0を設定する際に，併せて上限電流値Ｉ0を室外温度Ｔに基づいて設定することが考えられる。これにより，外気温度Ｔが高い状態において負荷が急激に増加したような場合に，できるだけ早い段階でモータ回転数Ｎを下げるなどの制御を行うことが可能となり，制御部１０や圧縮機１へ過電流が流れることを防止することができる。
【００２５】
このとき，具体的には，対応情報Ｄ１と同様に，室外温度Ｔと上限電流値Ｉ0とを対応付けた対応情報Ｄ２を制御部１０のＲＯＭなどに記憶させておけばよい。ここに，図５は，対応情報Ｄ２を説明するための図である。
図５に示すように，対応情報Ｄ２は，外気温度が３８（℃）以下である場合には上限電流値Ｉ0が１８（Ａ），外気温度が５０（℃）以上である場合には上限電流値Ｉ0が１４．２（Ａ）となるような対応関係を示している。また，外気温度が３８〜５０（℃）の間である場合には，外気温度Ｔと上限電流値Ｉ0との関係は，下記の式（２）で表される。
【数２】
2008202905.tif 000007
そして，前述した上限回転数制御処理（図４参照）では，制御部１０によって，ステップＳ４では上限電流値Ｉ0が１８（Ａ），ステップＳ６では上限電流値Ｉ0が１４．２（Ａ），ステップＳ７では上限電流値Ｉ0が上記式（２）で算出される値に設定される。ここに，かかる設定処理を実行するときの前記制御部１０が上限電流値設定手段に相当する。
これにより，上限電流値Ｉ0が室外温度Ｔの上昇に伴って低下することになるため，制御部１０や圧縮機１への過電流を速い段階で阻止することが可能となる。なお，上限電流値Ｉ0は，予め設定された温度以上であるか，該温度未満であるかによって２種類の値に切り替える単純な処理であってもかまわない。
【図面の簡単な説明】
【００２６】
【図１】本発明の実施の形態に係る空気調和機Ｘの概略構成を示すブロック図。
【図２】本発明の実施の形態に係る空気調和機Ｘの制御回路の概略構成を示すブロック図。
【図３】上限回転数設定処理で用いられる対応情報Ｄ１を説明するための図。
【図４】本発明の実施の形態に係る空気調和機Ｘにおいて制御部１０によって実行される上限回転数設定処理の手順の一例を説明するためのフローチャート。
【図５】上限回転数設定処理で用いられる対応情報Ｄ２を説明するための図。
【符号の説明】
【００２７】
１…圧縮機
２…四方弁
３…室外空気熱交換器
４…膨張弁
５…室内空気熱交換器
６…外気温度センサ（外気温度検出手段の一例）
７…圧縮機温度センサ（圧縮機温度検出手段の一例）
１０…制御部
２０…インバータ制御回路
３０…電流検出回路
Ｓ１，Ｓ２，…，…処理手順（ステップ）番号
【図１】
2008202905.tif 000008
【図２】
2008202905.tif 000009
【図３】
2008202905.tif 000010
【図４】
2008202905.tif 000011
【図５】
2008202905.tif 000012